(57)【特許請求の範囲】
【請求項１】
容器のノズルに取り付けられて傾けて注出孔を通して液体内容物を注出する液体注出キャップであって、前記液体注出キャップは、液体通路を構成する注出筒を有して容器のノズル部に嵌着するキャップ本体と前記キャップ本体に嵌合・離脱して前記キャップ本体の上端部を開閉する上蓋とを備え、
前記上蓋の天板部の内面側に前記内面となす角度である張り出し角度が１０°〜７０°で前記内面から庇状に張り出している１または複数の液溜め舌片とを有し、
前記キャップ本体には前記上蓋が前記キャップ本体を閉じた状態において最も外側の前記液溜め舌片を下から支え最も外側の前記液溜め舌片の張り出し角度及び張り出し量とほぼ同じ角度及び張り出し量の斜面からなる受面を上面に有する液溜め舌片受けを備えることを特徴とする液垂れ防止液体注出キャップ
【請求項２】
前記キャップ本体と前記上蓋とはヒンジを介して連結していることを特徴とする請求項１記載の液垂れ防止液体注出キャップ。
【請求項３】
前記上蓋は天板から延出していて前記キャップ本体の前記注出筒の上端をシールする上蓋インナーリングを有し、前記液溜め舌片は前記インナーリングの先端部の一周の少なくとも前記ヒンジ寄りの一部分において庇状に張り出している構造を特徴とする請求項１または２記載の液垂れ防止液体注出キャップ。
【請求項４】
前記上蓋インナーリングよりも内側において前記天板から庇状に張り出している１または複数の他の液溜め舌片が設けられていることを特徴とする請求項３記載の液垂れ防止液体注出キャップ。
【請求項５】
前記液溜め舌片は前記インナーリングの先端部の一周のうちの前記ヒンジ寄りの１８０°以下の角度範囲θに設けられていることを特徴とする請求項３記載の液垂れ防止液体注出キャップ。
【発明の詳細な説明】
【０００１】
【産業上の利用分野】
この発明は液体内容物をボトルから注出する時に、使用する液体注出キャップ、特に、液垂れを防止することができる液体注出キャップに関するものである。
【０００２】
【従来の技術】
ボトルのノズル部に取付けた液体注出キャップにおいて、油、ソース、ケチャップなど特に粘度の高い液体内容物をボトルを傾けて注出し、かつ注出が終わってボトルの傾きを元に戻した時に、注ぎ口で内容物が液垂れしてキャップ本体やボトルの側面を汚すことがあることは周知である。この液垂れの原因としては、従来の容器キャップにおいて、注出孔を開口させた後に、上蓋を閉めた状態で、容器を倒立させたり、容器を振ったりした場合に、図１０に示すように、注出孔から出た液体内容物が付着液１０ａとしてキャップ上蓋５ａの内面に付着し、上蓋を開けた場合には図１１に示すように上蓋内面にそのまま付着し続ける。この状態で容器を傾けて液体内溶物を注出すると、上蓋の内面に付着した付着液が、上蓋内面を伝わり、ヒンジ部などを通って伝わり、図１２に示すようにキャップの外面などに落下し、容器ノズル部３の周辺を汚し、不潔感を与えることになる。
このために、容器キャップの構造については従来から各種の工夫が行われている。
【０００３】
従来から、液体内容物を充填するボトル２においては、図１０に示すように、ボトルノズル部３にキャップ１ａを嵌着させてボトルノズル部３の開口部の開閉及び注出液の案内をしている。このキャップ１ａは通常２部材から成っていて、すなわちボトルノズル部に嵌着して液体内容物の注出流の案内をするキャップ本体４ａと、そのキャップ本体４ａに係合、離脱してキャップ本体を開閉する上蓋５ａとの２部材から成っている。キャップ本体４ａにおける注出流を案内する部分は注出筒１２ａとその上端に形成されている注出端部２３ａとから成っている。一方上蓋５ａは短円筒状のインナーリング２６ａが天板２５から垂直下方に延出しており、このインナーリング２６ａの下端は上蓋５ａの開閉に応じてキャップ本体４ａの上蓋に嵌合・離脱して注出筒１２ａの上端をシールし開閉する。しかるに、このような構成のキャップ１ａでは液垂れ防止の機能が必ずしも充分ではない。
【０００４】
このようなことから、液垂れを良好に防止することができる液体内容物の注出キャップの開発が望まれている。
【０００５】
この発明は上記の如き事情に鑑みてなされたもので、液垂れを良好に防止することができる液体内容物の注出キャップを提供することを目的とするものである。
【０００６】
【構成】
この目的に対応して、この発明の液体注出キャップは、容器のノズルに取り付けられて傾けて注出孔を通して液体内容物を注出する液体注出キャップであって、前記液体注出キャップは、液体通路を構成する注出筒を有して容器のノズル部に嵌着するキャップ本体と前記キャップ本体に嵌合・離脱して前記キャップ本体の上端部を開閉する上蓋とを備え、
前記上蓋の天板部の内面側に前記内面となす角度である張り出し角度が１０°〜７０°で前記内面から庇状に張り出している１または複数の液溜め舌片とを有し、
前記キャップ本体には前記上蓋が前記キャップ本体を閉じた状態において最も外側の前記液溜め舌片を下から支え最も外側の前記液溜め舌片の張り出し角度及び張り出し量とほぼ同じ角度及び張り出し量の斜面からなる受面を上面に有する液溜め舌片受けを備えることを特徴としている。
【０００７】
【実施例】
以下この発明の詳細を一実施例を示す図面について説明する。
図１から図３において、１は注出キャップであり、液体内容物を充填したボトル２のノズル部３に嵌着して、液体内容物の注出及びノズル部３の開閉の機能をなすものである。注出キャップ１はキャップ本体４と上蓋５とからなっている。
【０００８】
キャップ本体４はノズル部３に嵌着して使用され、上蓋５はキャップ本体４の上端部に嵌合及び離脱してキャップ本体４を開閉する。この実施例ではキャップ本体４と上蓋５は液体内容部の注出の場合にボトルを傾けると下になる側の傾きサイド６の反対側の連結サイド７でヒンジ８によって連結している。したがって、この実施例では注出キャップ１はヒンジキャップを構成するが、この発明はキャップ本体４と上蓋５を有するがヒンジ８をもたない注出キャップにも適用されるものである。
【０００９】
キャップ本体４はアウターリング１１と注出筒１２とを同心状に具え、その間にボトル２のノズル部の上端が挿入される状態でノズル部３に取付けられ、ノズル部３のアンダーカット１３とアウターリング１１のアンダーカット１４とが係合してキャップ本体４がノズル部３に固定される。注出筒１２はボトル２の内外を連通する液体通路１５を構成する部材で、その内面が液体案内面１６を構成する。
【００１０】
ボトル２の内部と液体通路１５との連通を遮断する位置には液体通路１５を横断した膜状の隔壁１７が形成されており、この隔壁１７は注出孔１８が穿孔して形成される部材であり、この穿孔形成される注出孔１８の輪郭に沿ってスコアー２１が形成され、このスコアー２１の内側部分にはプルリング２２が取付けられている。
【００１１】
注出筒１２の上端に注出端部２３が形成されている。注出端部２３の注出案内面２４は外側にカールしていてＸ−Ｙ平面における断面形状がＹ方向に凸の円弧をなしている。
【００１２】
図３に示すように、注出孔１８の形状はＸ方向に縦軸３２をもち、Ｚ方向に横軸３１をもち縦軸３２の中央部３３よりも傾きサイド６寄りの附近において、注出孔１８のＺ方向の幅Ｄが最大（Ｄｍａｘ）である。
【００１３】
前述の通り、キャップ本体４にはヒンジ８で上蓋５が連結しており、上蓋５の天板２５を有する。天板２５からは上蓋インナーリング２６が延出している型式のものと、上蓋インナーリング２６をもたない型式のものとがある。上蓋インナーリング２６が延出している型式の上蓋５では、上蓋５がキャップ本体４を閉じるときは上蓋インナーリング２６の端部２８の近傍部分がキャップ本体４の注出筒１２の上端部分２９に嵌合して液密シールを形成する。上蓋インナーリング２６の先端からは薄肉の液溜め舌片２７が庇状に張り出している。上蓋インナーリング２６が短円筒状に天板２５から延出しているのに対し、液溜め舌片２７は天板２５の先端部の３６０°の角度範囲のうちのヒンジ８寄りの一部分の角度範囲θ、好ましくは約１８０°の範囲（θ＝約１８０°）に形成されている。
【００１４】
液溜め舌片２７の張り出し幅Ｗは角度範囲θ内で同一であるかまたはヒンジ８寄りに行くほど大きい。したがってこの場合は角度範囲θにおいて傾きサイド６寄りの先端部分の幅が最小である。さらに、張り出し角度Θは０で、つまり、液溜め舌片２７は天板２５と平行でもよいが、好適には張り出し角度Θは１０°〜７０°である。
【００１５】
一方、キャップ本体４には液溜め舌片受け３４が設けられている。液溜め舌片受け３４の上面は液溜め舌片２７の張り出し角度Θとほぼ同じ角度の斜面からなる受面３５を持ち、上蓋５がキャップ本体４に嵌着してキャップ本体４を閉じた状態において、液溜め舌片受け３４が液溜め舌片２７を下から支える構造になっている。
【００１６】
このように構成された注出キャップ１の内容液の注出の際の作用は次の通りである。
まず、図２において、プルリング２２を引き上げて、スコアー２１で隔壁１７を引き裂いて除去すると注出孔１８（図３参照）が開口し、キャップ本体４の液体通路１５とボトル２の内部が連通する。この状態からボトル２を傾きサイド６が下になるように傾けると、液体内容物９（図７参照）がボトル２の内部から注出孔１８を通って注出筒１２の液体案内面１６を通り、さらに、注出案内面２４に流れが案内されて外部に注出される。必要量の注出が終了してボトル２の傾きを元の正立の状態に戻し、上蓋５を閉じる。
【００１７】
この注出孔１８の開口後、上蓋５を閉めた状態で図４に示すように、ボトル２を倒立させたり、ボトル２を振ったりすると、注出孔１８から出た液体内容物９が付着液１０となって内容液１０が上蓋５に付着し、図５に示すように、その状態は継続して、上蓋５を開けた場合にも図６に示すように、上蓋５に付着しているが、この付着液１０は液溜め舌片２７に溜められて保持される。さらに注出時に、上蓋５を開いてボトル２を傾けた場合にも、図７に示すように、付着液１０は液２７に溜められて保持され、ヒンジ８部に垂れることはない。上蓋５が第５図に示すようにキャップ本体４を閉じ、かつ、この状態が永く継続したとしても、液溜め舌片２７は液溜め舌受け３４に下から支えられているので、自重で、または付着液１０の重量で変形して、液垂れが起こることはない。
【００１８】
なお上記した実施例においては、一種類の液溜め舌片２７だけが設けられたものであるが、この他に、液溜め舌片２７の他に、図８及び図９に示すように、他の液溜め舌片２７ｂ，２７ｃ…を上蓋５の天板２５の裏面から庇状に張り出して形成してもよい。また、上蓋インナーリングをもたない型式の上蓋ではすべての液溜め舌片は上蓋５の天板２５の裏面から張り出すことになる。
【００１９】
【発明の効果】
以上の説明から明らかな通り、この発明の液体注出キャップでは、上蓋内面に付着液が付着してるとその付着液は上蓋液溜め舌片１３内に溜められる。従って、液体内容物９を出し易く、キャップを汚さず、使用出来る。しかも液溜め舌片２７は、薄肉であり、かつ上蓋インナーリング２６の下端の円形の線を一周するのでなく、その一部分にだけ形成され、張り出し角度も上向きの５〜６０°であれば成形型からの抜き取りも容易であり、従来通りの成形性・生産性を維持し、効率が良い。
【００２０】
【図面の簡単な説明】
【図１】この発明の一実施例のキャップの構造を示す縦断面図。
【図２】キャップの上蓋を開いた状態の断面図。
【図３】注出孔の平面図。
【図４】ボトルを逆さにした時のキャップの状態を示す縦断面図。
【図５】ボトルを正立させた時の上蓋に付着した内容液を示す縦断面図。
【図６】上蓋を開いた時の上蓋に付着した内容液を示す縦断面図。
【図７】ボトルを傾けた時の開いた上蓋に付着した内容液を示す縦断面図。
【図８】他の実施例のキャップの上蓋を開いた状態の断面図。
【図９】他の実施例のキャップの注出孔の平面図。
【図１０】従来のキャップの上蓋を閉じた状態を示す縦断面図。
【図１１】従来のキャップの上蓋を開いた状態を示す縦断面図。
【図１２】従来のキャップを傾けた状態を示す縦断面図。
【符号の説明】
１      注出キャップ
１ａ    注出キャップ
２      ボトル
３      ノズル部
４      キャップ本体
４ａ    キャップ本体
５      上蓋
５ａ    上蓋
６      傾きサイド
７      連結サイド
８      ヒンジ
９      液体内容物
１０    付着液
１１    アウターリング
１２    注出筒
１２ａ  注出筒
１３    アンダーカット
１４    アンダーカット
１５    液体通路
１６    液体案内面
１７    隔壁
１８    注出孔
２１    スコアー
２２    プルリング
２３    注出端部
２４    注出案内面
２５    天板
２６    上蓋インナーリング
２６ａ  上蓋インナーリング
２７    液溜め下片
２８    端部
２９    上端部分
３１    横軸
３２    縦軸
３３    中心
３４    受け
【図１】
0004123778.tif 000002
【図２】
0004123778.tif 000003
【図３】
0004123778.tif 000004
【図４】
0004123778.tif 000005
【図５】
0004123778.tif 000006
【図６】
0004123778.tif 000007
【図７】
0004123778.tif 000008
【図８】
0004123778.tif 000009
【図９】
0004123778.tif 000010
【図１０】
0004123778.tif 000011
【図１１】
0004123778.tif 000012
【図１２】
0004123778.tif 000013